(57)【要約】【課題】  手品的な要素、幾何学的な要素の興趣を与えることができるブロック玩具を提供すること。【解決手段】複数のエレメントを、２行×５列の複数列にて、１段に配列してプレート状に形成すると共に、第１のエレメント列としての３列目に位置するエレメント列を、その各エレメントの対向する面の面内方向に回転させる軸と、前記軸に直交すると共に、前記第１のエレメント列に軸支されて、回転する回転軸を備えた第２のレメント列としてのエレメント列、第１のエレメント列と第２のエレメント列の間で、前記回転軸に空転させられる第３のエレメント列としてのエレメント列を備えているブロック玩具である。【選択図】図１
2012232097.tif 000002
【特許請求の範囲】
【請求項１】
複数のエレメントを２行×少なくとも３列の複数列に配列し、
前記複数列の何れか１列のエレメント列を第１のエレメント列とし、
この第１のエレメント列に軸支される回転軸を備えたエレメント列を第２のエレメント列とし、
前記第１のエレメント列に軸支される回転軸を備えると共に前記第２のエレメント列の回転軸を介して空転するエレメント列を第３のエレメント列とし、
前記第１のエレメント列はその各エレメントをそれらの対向する面の面内方向に回転させる軸を備え、
前記第２のエレメント列及び前記第３のエレメント列の各回転軸は、前記面内方向で分割されて、各エレメント列の各エレメントを各行毎に連結する連結部となっていることを特徴とするブロック玩具。
【請求項２】
複数のエレメントを、２行×５列に配列し、
前記５列の中心の３列目に位置するエレメントを第１のエレメント列とし、前記５列の１列目及び５列目のエレメントを第２のエレメント列とし、前記５列の２列目及び４列目のエレメントを第３のエレメント列とし、
前記第１のエレメント列に軸支される回転軸を第２のエレメント列に設け、
前記回転軸を介して空転されると共に、第１のエレメント列に軸支される回転軸を備えた第３のエレメント列を設けると共に、
前記第１のエレメント列は、各エレメントをその対向する面の面内方向に回転させる軸を備え、
前記第２のエレメント列及び前記第３のエレメント列の各回転軸は、前記面内方向で分割されて、各エレメントを各行毎に連結する連結部となっていることを特徴とするブロック玩具。
【請求項３】
各エレメントによって、プレート状に又は円柱状に形成されることを特徴とする請求項１又は２に記載のブロック玩具。
【請求項４】
各エレメントによって、物の形態を模した玩具に形成されることを特徴とする請求項１、２又は３の何れかに記載のブロック玩具。
【発明の詳細な説明】
【技術分野】
【０００１】
本発明は、パズル的な要素、マジック的な要素により遊戯者に興趣を与えることができるブロック玩具に関するものである。
【背景技術】
【０００２】
立方体パズルとして、ハンガリーの学者エルノー・ルービックが発明したルービックのキューブが有名である（特許文献１）。また、我が国では、立方体パズルとしての回転式立体組合せ玩具が開示されている（特許文献２）。
これらの立方体パズルは、例えば各６面がそれぞれ３行×３列の各エレメントからなり、これら各面は各行毎又各列毎に回転されて、各面を揃える（例えば同一の色等）までの試行錯誤に興趣を与えたり、各面を揃えるまでの時間を争う等で遊戯者に興趣を与えている。
【０００３】
しかし、この立方体パズルは、ゲームとしての奥深さは別として、３行×３列×３段の各エレメントを各行又各列毎に回転させるもので、動作自体はシンプルであって、その動作自体の興趣を遊戯者に与えることは少なかった。
【先行技術文献】
【特許文献】
【０００４】
【特許文献１】米国特許第４３７８１１６号明細書
【特許文献１】特公昭５５−３９５６号公報
【発明の概要】
【発明が解決しようとする課題】
【０００５】
そこで、本発明は、立方体パズルにおいて、競い合うようなゲームとしての興趣よりも、手品的な要素、幾何学的な要素等の興趣を高めることができるブロック玩具を提供することを目的とする。
【課題を解決するための手段】
【０００６】
上記課題を解決するため、本発明のブロック玩具は、複数のエレメントを２行×少なくとも３列の複数列に配列し、前記複数列の何れか１列のエレメント列を第１のエレメント列とし、この第１のエレメント列に軸支される回転軸を備えたエレメント列を第２のエレメント列とし、前記第１のエレメント列に軸支される回転軸を備えると共に前記第２のエレメント列の回転軸を介して空転するエレメント列を第３のエレメント列とし、前記第１のエレメント列はその各エレメントをそれらの対向する面の面内方向に回転させる軸を備え、前記第２のエレメント列及び前記第３のエレメント列の各回転軸は、前記面内方向で分割されて、各エレメント列の各エレメントを各行毎に連結する連結部となっていることを特徴とする（請求項１の発明）。
【０００７】
上記課題を解決するため、本発明のブロック玩具は、複数のエレメントを、２行×５列に配列し、前記５列の中心の３列目に位置するエレメントを第１のエレメント列とし、前記５列の１列目及び５列目のエレメントを第２のエレメント列とし、前記５列の２列目及び４列目のエレメントを第３のエレメント列とし、前記第１のエレメント列に軸支される回転軸を第２のエレメント列に設け、前記回転軸を介して空転され且つ第１のエレメント列に軸支される回転軸を備えた第３のエレメント列を設けると共に、前記第１のエレメント列は、各エレメントをその対向する面の面内方向に回転させる軸を備え、前記第２のエレメント列及び前記第３のエレメント列の各回転軸は、前記面内方向で分割されて、各エレメントを各行毎に連結する連結部となっていることを特徴とする（請求項２の発明）。
【０００８】
上記各発明のブロック玩具が、各エレメントによってプレート状に又は円柱状に組み立てられる。以下の説明では、プレート状玩具又は円柱状玩具とも称する（請求項３の発明）。
また、物の形態（外観、外形）、例えば動産の形態を模した玩具であれば、動物の姿、人形の姿、販売促進に用いられるノベルティ商品等の玩具の形態が各エレメントで組み立てられることを特徴とするブロック玩具とする。さらに、不動産の形態を模した玩具であれば、建物の形態の玩具等が、各エレメントによって組み立てられることを特徴とするブロック玩具とする（請求項４の発明）。これらの玩具は、以下の説明では形態玩具とも称する。
【発明の効果】
【０００９】
本発明のブロック玩具によれば、各行単位で回転動作させることができると共に、各列単位及び複数の各列単位で回転動作させることができ、手品的な要素、幾何学的な要素等の興趣を高めることができる玩具を提供することができる。
また、本発明の各エレメントを用いて、各種の物の形態（外観）に模した玩具を構成することができ、上記ブロック玩具に形態の特徴がプラスされる玩具（以下、形態玩具とも称する）とすることができる。
このような形態玩具によれば、上記効果に加えて、その形態によって玩具の遊戯性、面白味等が発現され、幼児用の玩具となったり、販売促進用（ノベルティ）の玩具等にすることができ、応用範囲が広がる。
【図面の簡単な説明】
【００１０】
【図１】図１は実施例１に係るブロック玩具の斜視図、
【図２】図２は同玩具の平面図、正面図、左右側面図、
【図３】図３は同玩具の動作説明図、
【図４】図４は同玩具の動作説明図、
【図５】図５は同玩具の動作説明図、
【図６】図６は同玩具の１行と２行を分離すると共に、図６Ａは第１行のエレメント列の対向面を示した平面図、図６Ｂは第２行のエレメント列の斜視分解図、
【図７】図７は同玩具の第２行のエレメントの内、第１のエレメント列から第２、第３エレメント列を分離した状態の斜視図、
【図８】図８は同玩具の第２行のエレメントの構成要素から軸カバーを取り除いた状態の斜視図、
【図９】図９は同玩具の第２行のエレメントの構成要素から第２のエレメント列を取り除いた状態の斜視図、
【図１０Ａ】図１０Ａは同玩具の全体の斜視分解図、
【図１０Ｂ】図１０Ｂは、全体の斜視分解図から抜き出したエレメント１５及び同１９の斜視図、
【図１１】図１１（Ａ）及び同（Ｂ）は実施例２及び同３に係る形態玩具の斜視図、
【図１２】図１２（Ａ）、同（Ｂ）及び同（Ｃ）は実施例４、同５及び同６に係る形態玩具の斜視図、
【図１３】図１３は実施例７に係る形態玩具の斜視図、
【図１４】図１４は実施例８に係る形態玩具の斜視図、
【図１５】図１５は実施例９に係る形態玩具の斜視図、
【図１６】図１６はプレート状玩具の変形例１の斜視図、
【図１７】図１７は実施例１０に係る同玩具の斜視図、
【図１８】図１８は同玩具の第２行のエレメントの構成要素の斜視図、
【図１９】図１９は実施例１１に係る円柱状玩具の斜視図、
【図２０】図２０は同玩具の全体の斜視分解図、
【図２１】図２１は同玩具の動作説明図、
【図２２】図２２は同玩具の動作説明図である。
【発明を実施するための形態】
【００１１】
本発明に係るブロック玩具は、複数のエレメントを２行×３列以上の複数列にて１段に配列してプレート状に形成し、第１のエレメント列と、この第１のエレメント列に軸支される回転軸を備えた第２のエレメント列と、前記第１のエレメント列に軸支される回転軸を備えると共に前記第２のエレメント列の回転軸を介して空転する第３のエレメント列とを備えると共に、前記第１のエレメント列はその各エレメントをそれらの対向する面の面内方向に回転させる軸を備え、前記第２のエレメント列及び前記第３のエレメント列の前記各回転軸は、前記面内方向で分割されて、各エレメント列の各エレメントを各行毎に連結する連結部となっている。
以下に詳述する各実施例及び各変形例において、同一の構成は同一の符号を付して、詳細な説明を省略する。
【実施例１】
【００１２】
実施例１に係るプレート状玩具１は、図１及び図２に示すように、複数のエレメント１０〜１９をキューブ状に形成すると共に、２行×５列にて１段に配列してプレート状に形成する。
前記５列の中心の３列目に位置するエレメント（以下、エレメントをキューブとも称する）１０、１１を第１のエレメント列ｎ１とし、前記５列の１列目及び５列目のキューブ１２、１３、１４、１５を第２のエレメント列ｎ２とし、前記５列の２列目及び４列目のキューブ１６、１７、１８、１９を第３のエレメント列ｎ３とする。
そして前記第１のエレメント列ｎ１に軸支される回転軸２を第２のエレメント列ｎ２に設け、前記回転軸２を介して空転されると共に、第１のエレメント列ｎ１に軸支される回転軸３を備えた第３のエレメント列ｎ３とする。
前記第１のエレメント列ｎ１は、各キューブ１０、１１をその対向する面（第４面とも称する）１０ｄ、１１ｄの面内方向Ｘに回転させる軸４を備える。
前記第２のエレメント列ｎ２及び前記第３のエレメント列ｎ３の各回転軸２、３は、前記面内方向Ｘで分割されて、各キューブ１０〜１９を各行ｍ１、ｍ２毎に連結する連結部５、６となる。
【００１３】
以上の構成により、図３のように、第２のエレメント列ｎ２の各キューブ１２、１３は、その回転軸２により一体として、前記Ｘ方向に直交する方向Ｙにて回転し、各キューブ１４、１５も同様である。
また、第３のエレメント列ｎ３の各キューブ１６〜１９は、その各回転軸３により、前記各回転軸２を介して、それぞれ一体として空転される。
また、図４のように、第２のエレメント列ｎ２と第３のエレメント列ｎ３の各キューブ１２、１３、１６、１７を、其々の回転軸２、３により一体として回転させることもできる。各キューブ１４、１５、１８、１９も同様である。
この動作状態では、遊戯者は、各キューブ１０〜１９が各エレメント列ｎ１〜ｎ３毎に密着している印象を与えられる。
【００１４】
しかし、前記第１のエレメント列ｎ１は、各キューブ１０、１１をその第４面１０ｄ、１１ｄの面内方向Ｘに回転させる軸４を備えると共に、前記回転軸２は、前記面内方向Ｘで分割されて、キューブ１０とキューブ１２及びキューブ１４を行ｍ１にて連結する連結部５となり、同じく分割される前記回転軸３は、キューブ１０とキューブ１６及びキューブ１８を行ｍ１にて連結する連結部６となり、キューブ１０を中心にして、左右のキューブ１２及びキューブ１４並びにキューブ１６及びキューブ１８が一連で連結される。
また、同じく前記面内方向Ｘで分割される前記回転軸２は、キューブ１１とキューブ１３及びキューブ１５を行ｍ２にて連結する連結部５となり、同じく分割される前記回転軸３は、キューブ１１とキューブ１７及びキューブ１９を行ｍ２にて連結する連結部６となり、キューブ１１を中心にして、左右のキューブ１５、１９、１７及１３の各キューブが一連で連結される。
【００１５】
よって、図５のように、第１のエレメント行ｍ１と前記第２のエレメント行ｍ２は、それぞれ全体とてしてＸ方向に回転することができる。
その結果、各キューブ１０〜１９はバラバラとなり、各エレメント列ｎ１〜ｎ３毎に密着している印象とは正反対の印象を遊戯者に与える。
【００１６】
逆に、第１のエレメント行ｍ１と第２のエレメント行ｍ２をＸ方向に回転させた場合、この回転の動きの中で、第２及び第３のエレメント列ｎ２、ｎ３の各エレメント１２〜１９は、その構造上の列方向の関連性を目視することはできない。
しかし、これらの各エレメント１２〜１９は、恰も関連しているように、図３及び図４のごとくに、それぞれ列単位又は１列と２列同時に又は４列と５列同時に、回転するようになっている。
よって、手品的な要素、幾何学的な要素等の興趣を高めることができるプレート状玩具となっている。
【００１７】
次に、図６〜図１０Ａに基づいてプレート状玩具１の各構成要素を説明する。
前記第１のエレメント列ｎ１のキューブ１０及びキューブ１１は、それぞれ立方体状に形成され、カバー１００、１１０が付けられると共に、そのカバー１００、１１０を外すことで前記軸４を支える軸支持部１０１、１１１が臨まれる第１面１０ａ、１１ａと、略正方形の第２面１０ｂ、１１ｂ及び第３面１０ｃ、１１ｃと、同軸支持部１０１、１１１及びその左右の軸受け１０２、１１２が臨まれる第４面１０ｄ、１１ｄと、この第４面の両側に位置し、前記軸受け１０２、１１２の切欠１０３、１１３が設けられた第５面１０ｅ、１１ｅ及び第６面１０ｆ、１１ｆ（詳細には図１０Ａ参照）からなる。
【００１８】
前記軸支持部１０１、１１１には、前記軸４を構成するネジを挿通させる孔１０１ａ、１１１ａがそれぞれ設けられている。
前記軸受け１０２、１１２には、図７、図１０Ａのように、前記回転軸２を支持する内側軸受け１０４、１１４と、回転軸３を支持する外側軸受け１０５、１１５がそれぞれ設けられている。
なお、前記切欠１０３、１１３は、前記各回転軸２、３を挿通させるものである。
【００１９】
前記第１のエレメント列ｎ１の左右にそれぞれ配置されている第２、第３の各エレメント列ｎ２、ｎ３は、前記軸４の軸線に対して線対称に形成されているので、一方の各エレメント１２、１３、１６、１７を他方のエレメント１４、１５、１８、１９に代表させて説明する。
【００２０】
図１０Ａに図示したように、前記各キューブ１２、１３は、それぞれ略正方形の第１面１２ａ、１３ａ、第２面１２ｂ、１３ｂ、第３面１２ｃ、１３ｃ及び第６面１２ｆ、１３ｆと、前記回転軸２を構成する半円筒状軸１２０、１３０が突出して形成されている第５面１２ｅ、１３ｅと、前記半円筒状軸１２０、１３０の基部が臨まれる第４面１２ｄ、１３ｄと、前記半円筒状軸１２０、１３０の裏側及び第４面１２ｄ、１３ｄをカバーする軸カバー１２１、１３１からなる。
なお、図１８等に基づいて後述するように、これらの軸カバー１２１、１３１、１４１、１５１を省略して、前記半円筒状軸１２０、１３０、１４０、１５０の裏側のみを塞ぐようにしてもよい。
【００２１】
前記半円筒状軸１２０、１３０は、前記内側軸受け１０４、１１４の溝に嵌る半円リング１２２、１３２を備えることにより、連結部５を構成する。また前記キューブ１６及びキューブ１７の各半円状軸１６０、１７０を逃げる小径の半円筒１２３、１３３と、これらのキューブ１６及びキューブ１７を空転される大径の半円筒１２４、１３４をそれぞれ備えている。
【００２２】
前記軸カバー１２１、１３１は、前記小径半円筒１２３、１３３、大径半円筒１２４、１３４及び第４面１２ｄ、１３ｄの開口をそれぞれ塞ぐと共に、キューブ１０、１６、１２の一体性、キューブ１１、１７、１３の一体性を高めて回転を円滑にするものである。
【００２３】
前記キューブ１６とキューブ１７は、それぞれ正方形の第１面１６ａ、１７ａ、第２面１６ｂ、１７ｂ及び第３面１６ｃ、１７ｃと、前記回転軸２が挿通される凹部１６１、１７１が形成されている第４面１６ｄ、１７ｄと、前記連結部６となる前記半円状軸１６０、１７０が形成される第５面１６ｅ、１７ｅと、前記回転軸２を空転させる孔１６２、１７２が切欠かれた第６面１６ｆ、１７ｆからなる。
【００２４】
なお、各キューブ１２、１３、１４及び１５の半円リング１２２〜１５２の外周の一カ所に溝を設け、一方、各キューブ１０、１１の内側軸受け１０４、１１４に前記溝に１８０度毎に対応するリブを設け、また各キューブ１６、１７、１８及び１９の半円状軸１６０〜１９０の外周に溝を設け、一方、各キューブ１０、１１の外側軸受け１０５、１１５に前記溝に１８０度毎に対応するリブを設けてもよい。
例えばキューブ１５と１９について図１０Ｂに図示すれば、符号１５４と同１９３のような溝の構成であり、かかる溝１５４又は溝１９３のような構成により各キューブ１２〜１９をＹ方向に回転させる場合に、１８０度の回転毎にその位置を安定させることができる。
また、図示は省略するが、半円筒状軸１２０〜１５０の外周に、舌状の弾性を備えたリブを形成し、一方、各キューブ１６〜１９の第４面１６ｄ〜１９ｄに前記リブに１８０度毎に対応する孔を設けてもよい。
このような構成によれば、第３のエレメント列ｎ３の各キューブ１６〜１９をＹ方向に回転させる場合に、１８０度の回転毎にその位置を安定させることができることに加え、第２のエレメント列ｎ２と第３のエレメント列ｎ３の各キューブを、同時に回転させる場合に、安定的に回転させることができる。
【００２５】
以上のように構成される前記各キューブ１０〜１９は次のように組み立てられる。
キューブ１０の外側軸受け１０５にキューブ１６の前記半円状軸１６０が嵌めこまれる。そしてキューブ１６の第４面１６ｄの凹部１６１に、前記キューブ１２の半円筒状軸１２０が載せられ、キューブ１０の内側軸受け１０４に、キューブ１２の前記半円筒状軸１２０の半円リング１２２が嵌めこまれ、それぞれ連結される。最後に、前記半円筒状軸１２０の裏面及びキューブ１２の第４面１２ｄの開口をカバーする軸カバー１２１が取り付けられる。
同様に、前記キューブ１０、１４、１８は、キューブ１０の外側軸受け１０５にキューブ１８の前記半円状軸１８０が嵌めこまれ、キューブ１８の第４面１８ｄの凹部１８１に、前記キューブ１４の半円筒状軸１４０が載せられ、キューブ１０の内側軸受け１０４に、キューブ１４の前記半円筒状軸１４０の半円リング１４２が嵌めこまれ、それぞれ連結される。前記半円筒状軸１４０の裏面及びキューブ１４の第４面１４ｄの開口をカバーする軸カバー１４１が取付けられて、組み立てられる。
同様に、前記キューブ１１、１７、１３は、キューブ１１の外側軸受け１１５にキューブ１７の前記半円状軸１７０が、キューブ１７の凹部１７１に、前記キューブ１３の半円筒状軸１３０が載せられ、キューブ１１の内側軸受け１１４に、キューブ１３の前記半円リング１３２が嵌めこまれ、前記軸カバー１３１が取付けられる。前記キューブ１１、１９、１５は、キューブ１１の外側軸受け１１５にキューブ１９の前記半円状軸１９０が、キューブ１９の凹部１９１に、前記キューブ１５の半円筒状軸１５０が載せられ、キューブ１１の内側軸受け１１４に、キューブ１５の前記半円リング１５２が嵌めこまれ、前記軸カバー１５１が取付けられて、組み立てられる（図７参照）。
【００２６】
以上のように各行ｍ１、ｍ２毎に組み立てられた状態で、前記軸４を介して、前記キューブ１０、１２、１４、１６、１８と前記キューブ１１、１３、１５、１７、１９の各第４面１０ｄ〜１９ｄが対向する状態で組み立てられる。
このとき、前記内側軸受け１０４、１１４に軸支持される、前記半円筒状軸１２０及び１３０からなる回転軸２並びに前記半円筒状軸１４０及び１５０からなる回転軸２が構成される。
同時に、前記外側軸受け１０５、１１５に軸支持される、前記半円状軸１６０及び１７０からなる回転軸３並びに前記半円状軸１８０及び１９０からなる回転軸３が構成される。
【００２７】
以上のように組立てられた状態で、プレート状玩具１の動作を詳細に説明する。
第１のエレメント行ｍ１と第２のエレメント行ｍ２を前記軸４を中心にＸ方向に回転させると、前記キューブ１０の左右の内側軸受け１０４と前記キューブ１２の前記半円筒状軸１２０の半円リング１２２及び前記キューブ１４の前記半円筒状軸１４０の半円リング１４２が連結部５となり、前記キューブ１０の左右の外側軸受け１０５と前記キューブ１６の前記半円状軸１６０及び前記キューブ１８の前記半円状軸１８０が連結部６となる。さらに、前記軸カバー１２１によりキューブ１０、キューブ１６及びキューブ１２の一体性が補強され、同様に前記軸カバー１４１によりキューブ１０、キューブ１８及びキューブ１４の一体性が補強される。
また、前記キューブ１１の左右の内側軸受け１１４と前記キューブ１３の前記半円筒状軸１３０の半円リング１３２及び前記キューブ１５の前記半円筒状軸１５０の半円リング１５２が連結部５となり、前記キューブ１１の左右の外側軸受け１１５と前記キューブ１７の前記半円状軸１７０及び前記キューブ１９の前記半円状軸１９０が連結部６となる。さらに、前記軸カバー１３１によりキューブ１１、キューブ１７及びキューブ１３の一体性が補強され、同様に前記軸カバー１５１によりキューブ１１、キューブ１９及びキューブ１５の一体性が補強される。
よって、スムースに第１のエレメント行ｍ１と第２のエレメント行ｍ２を前記軸４を中心にＸ方向に回転させることができる。
【００２８】
他方、第１のエレメント行ｍ１と第２のエレメント行ｍ２が揃った状態で、
キューブ１２とキューブ１３をＹ方向に回転させると、前記キューブ１２の前記半円筒状軸１２０と前記キューブ１３の前記半円筒状軸１３０が合わさり、且つ、それらの半円リング１２２及び半円リング１３２がリング状に形成されて回転軸２が形成される。且つ、前記軸カバー１２１と１３１も合わさり、前記キューブ１０の内側軸受け１０４及びキューブ１１の内側軸受け１１４を中心に、キューブ１２とキューブ１３がＹ方向にスムースに回転する。
【００２９】
同様に、キューブ１４とキューブ１５をＹ方向に回転させると、前記キューブ１４の前記半円筒状軸１４０と前記キューブ１５の前記半円筒状軸１５０が合わさり、且つ、それらの半円リング１４２及び半円リング１５２がリング状に形成されて回転軸２が形成される。且つ、前記軸カバー１４１と１５１も合わさり、前記キューブ１０及びキューブ１１の内側軸受け１０４及び１１４を中心に、キューブ１４とキューブ１５がＹ方向にスムースに回転する。
【００３０】
また、キューブ１２とキューブ１３をそのままして、キューブ１６とキューブ１７を把持しつつＹ方向に回転させると、前記キューブ１６の前記半円状軸１６０及び前記キューブ１７の前記半円状軸１７０が合わさってリング状の回転軸３が形成され、前記キューブ１０の外側軸受け１０５及びキューブ１１の外側軸受け１１５を中心に、前記回転軸２で空転され、キューブ１６とキューブ１７がＹ方向にスムースに回転する。
【００３１】
同様に、キューブ１４とキューブ１５をそのままして、キューブ１８とキューブ１９を把持しつつＹ方向に回転させると、前記キューブ１８の前記半円状軸１８０及び前記キューブ１９の前記半円状軸１９０が合わさってリング状の回転軸３が形成され、前記キューブ１０の外側軸受け１０５及びキューブ１１の外側軸受け１１５を中心に、前記回転軸２で空転され、キューブ１８とキューブ１９がＹ方向にスムースに回転する。
【００３２】
さらに、キューブ１２とキューブ１３及びキューブ１６とキューブ１７の４つのキューブを把持しつつＹ方向に回転させると、前記キューブ１０及びキューブ１１の内側軸受け１０４及び１１４を中心にして、前記回転軸２がＹ方向にスムースに回転すると同時に、キューブ１６とキューブ１７は前記回転軸２で空転されずに同調して、Ｙ方向にスムースに回転する。
同様、キューブ１４とキューブ１５及びキューブ１８とキューブ１９の４つのキューブを把持しつつＹ方向に回転させると、前記キューブ１０及びキューブ１１の内側軸受け１０４及び１１４を中心にして、前記回転軸２がＹ方向にスムースに回転すると同時に、キューブ１８とキューブ１９は前記回転軸２で空転されずに同調して、Ｙ方向にスムースに回転する。
【００３３】
上記実施例１ではエレメントは、立方体のキューブから構成されているが、直方体を用いて、全体としても２×５×１の直方体のプレート状に形成してもよい。
また、前記各回転軸２、３及び軸４等の構造を内蔵できる立体物であれば、プレート状に限らず、例えば、三角柱状、多角柱状でもよく、後述のように円柱状のものでもよい。
【００３４】
以上のように構成されるプレート状玩具１は、次のような効果を奏する。
（１）  各行ｍ１、ｍ２の動きと、各列ｎ１〜ｎ３の動きがそれぞれ矛盾するように動作させることができ、手品的な要素、幾何学的な要素等により遊戯者の興趣を高めることができるプレート状玩具となっている。
（２）  プレート状玩具１の各６面の色を揃えるような色合わせゲーム、プレート状玩具１の各６面の模様を揃えるような模様合わせゲーム等において、従来の立方体パズルに比べて、色が合わさり易く、模様が合わさり易く「正解」に到達し易いパズル玩具を提供することができる。
（３）  各行ｍ１、ｍ２の回転方向Ｘの動きと、各列ｎ１〜ｎ３の回転方向Ｙの動きが、幾何学的な要素となり、幼児の能力向上に寄与する知育玩具を提供することができる。
（４）  複数のエレメントを２行×５列の複数列にて１段に配列してプレート状に形成されているので、以下の実施例のように、種々の形態の玩具に応用することができる。
【実施例２】
【００３５】
図１１（Ａ）に示した実施例２に係る形態玩具１Ａは、各エレメント１０〜１９によって、飲料容器としてのカンの形態を模したものである。
以下の各実施例においては、詳細な図示は省略して、実施例１に係るプレート状玩具１の図１０等の各図面を参照しつつ、説明する。
【００３６】
第１のエレメント列ｎ１を構成するエレメント１０及び１１は、それぞれ半月立体状に形成されている。各エレメント１０及び１１は、それぞれカバー１００、１１０が付けられると共に、そのカバー１００、１１０を外すことで前記軸４を支える軸支持部１０１、１１１が臨まれる、第１面１０ａ、１１ａ、第２面１０ｂ、１１ｂ及び第３面１０ｃ、１１ｃに相当する外周面と、同軸支持部１０１、１１１及びその左右の軸受け１０２、１１２が臨まれる第４面１０ｄ、１１ｄと、この第４面の両側に位置し、前記軸受け１０２、１１２の切欠１０３、１１３が設けられた第５面１０ｅ、１１ｅ及び第６面１０ｆ、１１ｆからなる。
【００３７】
第２のエレメント列ｎ２を構成するエレメント１２、１３は、それぞれ半月立体状に形成され、第１面１２ａ、１３ａ、第２面１２ｂ、１３ｂ及び第３面１２ｃ、１３ｃに相当する外周面と、第６面１２ｆ、１３ｆに相当する平面と、前記回転軸２及び連結部５を構成する半円筒状軸１２０、１３０が突出して形成されている第５面１２ｅ、１３ｅと、前記半円筒状軸１２０、１３０の基部が臨まれる第４面１２ｄ、１３ｄと、前記半円筒状軸１２０、１３０の裏側及び第４面１２ｄ、１３ｄをカバーする軸カバー１２１、１３１からなる。
【００３８】
第３のエレメント列ｎ３を構成するエレメント１６、１７は、それぞれ半月立体状に形成され、第１面１６ａ、１７ａ、第２面１６ｂ、１７ｂ及び第３面１６ｃ、１７ｃに相当する外周面と、前記回転軸２が挿通される凹部１６１、１７１が形成されている第４面１６ｄ、１７ｄと、前記連結部６となる前記半円状軸１６０、１７０が形成される第５面１６ｅ、１７ｅと、前記回転軸２を空転させる孔１６２、１７２が切欠かれた第６面１６ｆ、１７ｆからなる。
【００３９】
前記形態玩具１Ａの詳細な構成は上記実施例１と同様であり、同様な作用効果を奏すると共に、次のような効果を奏する。
（５）  形態玩具１Ａの外周面を、飲料の商品広告のスペースとして、ノベルティに有用な玩具にすることができる。
【実施例３】
【００４０】
図１１（Ｂ）はペットボトル、ビン等の形態を模した形態玩具１Ｂであって、第１のエレメント列ｎ１を構成するエレメント１０及び１１、第２のエレメント列ｎ２を構成するエレメント１２、１３及び第３のエレメント列ｎ３を構成するエレメント１６、１７、１８、１９は、上記実施例２の構成と同様である。
第２のエレメント列ｎ２を構成するエレメント１４、１５は、ペットボトル、ビン等の上部及び飲口の外観を模して、それぞれ半円錐体状に形成され、第１面１２ａ、１３ａ、第２面１２ｂ、１３ｂ及び第３面１２ｃ、１３ｃに相当する円錐面と、第６面１２ｆ、１３ｆに相当する飲口面と、前記回転軸２を構成する半円筒状軸１２０、１３０が突出して形成されている第５面１２ｅ、１３ｅと、前記半円筒状軸１２０、１３０の基部が臨まれる第４面１２ｄ、１３ｄと、前記半円筒状軸１２０、１３０の裏側及び第４面１２ｄ、１３ｄをカバーする軸カバー１２１、１３１からなる。
前記形態玩具１Ｂの詳細な構成は上記実施例１及び同２と同様であり、同様な作用効果を奏する。
【実施例４】
【００４１】
図１２（Ａ）は箱状の包装容器の形態、本等の形態を模した形態玩具１Ｃであって、各エレメント１０〜１９の構成は、上記各実施例と同様であり、同様な作用効果を奏する。
【実施例５】
【００４２】
図１２（Ｂ）は袋状の包装容器の形態を模した形態玩具１Ｄであって、第２のエレメント列ｎ２を構成するエレメント１２、１３は、それぞれ三角柱状に形成され、第１面１２ａ、１３ａ、第２面１２ｂ、１３ｂ及び第３面１２ｃ、１３ｃに相当する外周面と、前記回転軸２を構成する半円筒状軸１２０、１３０が突出して形成されている第５面１２ｅ、１３ｅと、前記半円筒状軸１２０、１３０の基部が臨まれる第４面１２ｄ、１３ｄと、前記半円筒状軸１２０、１３０の裏側及び第４面１２ｄ、１３ｄをカバーする軸カバー１２１、１３１からなる。エレメント１４、１５も、上記エレメント１２、１３と同様に形成されている。
前記形態玩具１Ｄの各エレメント１０、１１、１６〜１９の各構成は、上記各実施例と略同様であり、同様な作用効果を奏する。
【実施例６】
【００４３】
実施例６に係る形態玩具１Ｅは、図１２（Ｃ）に示したように、各エレメント１０〜１９によって、カップ麺の容器の形態を模したものである。
各エレメント１０〜１９の構成は、上記各実施例と同様であり、同様な作用効果を奏する。
【実施例７】
【００４４】
実施例７に係る形態玩具１Ｆは、図１３に示したように、各エレメント１０〜１９によって、動物の人形の形態を模したものである。
第１のエレメント列ｎ１を構成するエレメント１０及び１１は、動物人形の両腕、肩を模して形成されていて、それぞれカバー１００、１１０が付けられると共に、そのカバー１００、１１０を外すことで前記軸４を支える軸支持部１０１、１１１が臨まれる、第１面１０ａ、１１ａ、第２面１０ｂ、１１ｂ及び第３面１０ｃ、１１ｃに相当する外周面と、同軸支持部１０１、１１１及びその左右の軸受け１０２、１１２が臨まれる第４面１０ｄ、１１ｄと、この第４面の両側に位置し、前記軸受け１０２、１１２の切欠１０３、１１３が設けられた第５面１０ｅ、１１ｅ及び第６面１０ｆ、１１ｆからなる。
第２のエレメント列ｎ２を構成するエレメント１２、１３は、動物人形の腰部及び脚部を模して形成され、第１面１２ａ、１３ａ、第２面１２ｂ、１３ｂ及び第３面１２ｃ、１３ｃに相当する外周面と、第６面１２ｆ、１３ｆに相当する足先面と、前記回転軸２を構成する半円筒状軸１２０、１３０が突出して形成されている第５面１２ｅ、１３ｅと、前記半円筒状軸１２０、１３０の基部が臨まれる第４面１２ｄ、１３ｄと、前記半円筒状軸１２０、１３０の裏側及び第４面１２ｄ、１３ｄをカバーする軸カバー１２１、１３１からなる。
また、第２のエレメント列ｎ２を構成するエレメント１４、１５は、動物人形の頭上部を模して形成され、エレメント１２、１３と略同一に構成されている。
第３のエレメント列ｎ３を構成するエレメント１６、１７は、動物人形の腹部に模して形成され、第１面１６ａ、１７ａ、第２面１６ｂ、１７ｂ及び第３面１６ｃ、１７ｃに相当する外周面と、前記回転軸２が挿通される凹部１６１、１７１が形成されている第４面１６ｄ、１７ｄと、前記連結部６となる前記半円状軸１６０、１７０が形成される第５面１６ｅ、１７ｅと、前記回転軸２を空転させる孔１６２、１７２が切欠かれた第６面１６ｆ、１７ｆからなる。
また、第３のエレメント列ｎ３を構成するエレメント１８、１９は、動物の頭下部を模して形成され、エレメント１６、１７と略同一に構成されている。
前記形態玩具１Ｆの詳細な構成は上記各実施例と同様であり、同様な作用効果を奏すると共に、次のような効果を奏する。
（６）  人形の玩具という面と、パズルの玩具という面が融合した玩具を提供することができる。
【実施例８】
【００４５】
実施例８に係る形態玩具１Ｇは、図１４に示したように、各エレメント１０〜１９によって、自動車の玩具の形態を模したものである。
第１のエレメント列ｎ１を構成するエレメント１０及び１１は、自動車玩具のボディ前半部の形態を模して形成され、各エレメント１０及び１１は、それぞれカバー１００、１１０が付けられると共に、そのカバー１００、１１０を外すことで前記軸４を支える軸支持部１０１、１１１が臨まれる、第１面１０ａ、１１ａ、第２面１０ｂ、１１ｂ及び第３面１０ｃ、１１ｃに相当する外周面と、同軸支持部１０１、１１１及びその左右の軸受け１０２、１１２が臨まれる第４面１０ｄ、１１ｄと、この第４面の両側に位置し、前記軸受け１０２、１１２の切欠１０３、１１３が設けられた第５面１０ｅ、１１ｅ及び第６面１０ｆ、１１ｆからなる。
第２のエレメント列ｎ２を構成するエレメント１２、１３は自動車玩具のリア部を模して形成され、第１面１２ａ、１３ａ、第２面１２ｂ、１３ｂ及び第３面１２ｃ、１３ｃに相当する外周面と、第６面１２ｆ、１３ｆに相当する後面と、前記回転軸２を構成する半円筒状軸１２０、１３０が突出して形成されている第５面１２ｅ、１３ｅと、前記半円筒状軸１２０、１３０の基部が臨まれる第４面１２ｄ、１３ｄと、前記半円筒状軸１２０、１３０の裏側及び第４面１２ｄ、１３ｄをカバーする軸カバー１２１、１３１からなる。
また、第２のエレメント列ｎ２を構成するエレメント１４、１５は、自動車玩具のフロント部を模して形成され、エレメント１２、１３と略同一に構成されている。
第３のエレメント列ｎ３を構成するエレメント１６、１７は、自動車玩具のボディ後半部に模して形成され、第１面１６ａ、１７ａ、第２面１６ｂ、１７ｂ及び第３面１６ｃ、１７ｃに相当する外周面と、前記回転軸２が挿通される凹部１６１、１７１が形成されている第４面１６ｄ、１７ｄと、前記連結部６となる前記半円状軸１６０、１７０が形成される第５面１６ｅ、１７ｅと、前記回転軸２を空転させる孔１６２、１７２が切欠かれた第６面１６ｆ、１７ｆからなる。
また、第３のエレメント列ｎ３を構成するエレメント１８、１９は、自動車玩具のエンジン収納部を模して形成され、エレメント１６、１７と略同一に構成されている。
前記形態玩具１Ｇの詳細な構成は上記各実施例と同様であり、同様な作用効果を奏する。
【実施例９】
【００４６】
実施例８に係る形態玩具１Ｈは、図１５のように、各エレメント１０〜１９によって、ボール、地球儀等の球状の形態を模したものである。
第１のエレメント列ｎ１を構成するエレメント１０及び１１は、それぞれ半月立体状に形成され、それぞれカバー１００、１１０が付けられると共に、そのカバー１００、１１０を外すことで前記軸４を支える軸支持部１０１、１１１が臨まれる、第１面１０ａ、１１ａ、第２面１０ｂ、１１ｂ及び第３面１０ｃ、１１ｃに相当する外周面と、同軸支持部１０１、１１１及びその左右の軸受け１０２、１１２が臨まれる第４面１０ｄ、１１ｄと、この第４面の両側に位置し、前記軸受け１０２、１１２の切欠１０３、１１３が設けられた第５面１０ｅ、１１ｅ及び第６面１０ｆ、１１ｆからなる。
第２のエレメント列ｎ２を構成するエレメント１２、１３は、凸レンズの分割状に形成され、第１面１２ａ、１３ａ、第２面１２ｂ、１３ｂ及び第３面１２ｃ、１３ｃに相当する外周面と、前記回転軸２を構成する半円筒状軸１２０、１３０が突出して形成されている第５面１２ｅ、１３ｅと、前記半円筒状軸１２０、１３０の基部が臨まれる第４面１２ｄ、１３ｄと、前記半円筒状軸１２０、１３０の裏側及び第４面１２ｄ、１３ｄをカバーする軸カバー１２１、１３１からなる。
第３のエレメント列ｎ３を構成するエレメント１６、１７は、それぞれ半月立体状に形成され、第１面１６ａ、１７ａ、第２面１６ｂ、１７ｂ及び第３面１６ｃ、１７ｃに相当する外周面と、前記回転軸２が挿通される凹部１６１、１７１が形成されている第４面１６ｄ、１７ｄと、前記連結部６となる前記半円状軸１６０、１７０が形成される第５面１６ｅ、１７ｅと、前記回転軸２を空転させる孔１６２、１７２が切欠かれた第６面１６ｆ、１７ｆからなる。
前記形態玩具１Ｈの詳細な構成は上記各実施例と同様であり、同様な作用効果を奏する。
【００４７】
形態玩具は、上記各実施例に限定されるものではなく、例えばリンゴ、みかん等の果物の形態を模したもの、植物の形態を模したもの等、あらゆる物の形態が含まれる。
「変形例１」
【００４８】
変形例１に係るプレート状玩具１Ｉは、図１６に示すように、エレメントを、２行×３列にて、１段に配列してプレート状に形成し、２列目の各レメント１０、１１で第１のエレメント列ｎ１を構成し、１列目及び３列目の各エレメント１２，１３、１４，１５で第２のエレメント列ｎ２を構成している。
この場合には、１列目の各エレメント１４，１５及び３列目の各エレメント１２，１３には、前記半円筒状軸１２０．１３０、１４０、１５０からなる回転軸２は不要となり、２列目の各エレメントの前記内側軸受け１０４、１１４又は前記外側軸受け１０５、１１５に軸支持される回転軸として、前記半円リング１２２、１３２、１４２、１５２のような回転軸を設ければよい。
その他の構成及び効果は、実施例１に係るプレート状玩具１と同様である。
【００４９】
その他の変形例として、エレメントを２行×７列にて、１段に配列してプレート状に形成し、４列目の各エレメントで第１のエレメント列ｎ１を構成し、１列目及び７列目の各エレメントで第２のエレメント列ｎ２を構成し、２列目及び６列目の各エレメントで第３のエレメント列ｎ３を構成し、３列目及び第５列目の各エレメントで第４のエレメント列ｎ４を構成してもよい。
この場合、第４のエレメント列ｎ４の各エレメントは、第２及び第３のエレメント列の各エレメントが備える回転軸の外側を空転する構成となる。
その他の構成及び効果は、実施例１に係るプレート状玩具１と同様である。
【００５０】
上記変形例を構成する各エレメントによっても、各実施例と同様に、物のかたち、動物の姿等の形態が形成されることを特徴とする形態玩具とすることができる。
【実施例１０】
【００５１】
上記各実施例及び各変形例のブロック玩具及び形態玩具について、紐、ストラップ、チェーン等の連結手段を取付けることができる取付部７を設けるようにしてもよい。
前記取付部７として、例えば前記各ブロック玩具及び形態玩具を構成する各エレメントの任意の場所に紐等を通すことができる孔を形成したり、突起を形成してその突起に孔を形成してもよい。
図１７及び図１８に示したブロック玩具１では、エレメント１２、１３、１４又は１５の第６面に突起を形成し、その突起に孔を設けている。
なお、この実施例１０のブロック玩具１では、前記軸カバー１２１〜１５１が図１８のように、エレメント１２〜１５の第４面を覆うことなく、且つ、エレメント１２〜１５と一体的に形成されている。
また、図１８のように、エレメント１０、１１の内側軸受１１４のリング径を外側軸受１１５のリング径と同様にし、その削られたスペースにエレメント１６〜１９の半円状軸１６０〜１９０の先端を延出させることで、Ｘ方向の回転の際に、エレメント１６〜１９の安定性を高めることができる。
かかるブロック玩具の他の構成は、上記各実施例及び各変形例と同様であり、同様な作用効果を奏すると共に、次のような効果を奏する。
（７）  ブロック玩具１を身に付けることができる程度にミニサイズとして、それに前記取付部７を設けたことにより、アクセサリーとしての機能を発揮させることができる。
【実施例１１】
【００５２】
実施例１１に係るブロック玩具１Ｊは、図１９及び図２０に示すように、複数のエレメント１０〜１９を半円柱状に形成すると共に、２行×５列に配列して円柱状に形成する。
実施例１と同様に、前記５列の中心の３列目に位置するエレメント１０、１１を第１のエレメント列ｎ１とし、前記５列の１列目及び５列目のエレメント１２、１３、１４、１５を第２のエレメント列ｎ２とし、前記５列の２列目及び４列目のエレメント１６、１７、１８、１９を第３のエレメント列ｎ３とする。
前記第１のエレメント列ｎ１に軸支される回転軸２を第２のエレメント列ｎ２に設け、前記回転軸２を介して空転されると共に、第１のエレメント列ｎ１に軸支される回転軸３を備えた第３のエレメント列ｎ３とする。
前記第１のエレメント列ｎ１は、各エレメント１０、１１をその対向する面（第４面）１０ｄ、１１ｄの面内方向Ｘに回転させる軸４を備える。
前記第２のエレメント列ｎ２及び前記第３のエレメント列ｎ３の各回転軸２、３は、前記面内方向Ｘで分割されて、各キューブ１０〜１９を各行ｍ１、ｍ２毎に連結する連結部５、６となる。
【００５３】
前記ブロック玩具１Ｊのエレメント１０及び１１は、それぞれ半円柱状に形成され、エレメント１１にのみカバー１００が付けられる。
前記エレメント１０及び１１は、第１面１０ａ、１１ａ、第２面１０ｂ、１１ｂ及び第３面１０ｃ、１１ｃが半円柱状の外周面により形成されると共に、第４面１０ｄ、１１ｄと、第５面１０ｅ、１１ｅ及び第６面１０ｆ、１１ｆからなる。
これらの各面の構成は、上記各実施例、各変形例と同様に形成される。
【００５４】
図２０に図示したように、前記各エレメント１２、１３は、第１面１２ａ、１３ａ、第２面１２ｂ、１３ｂ、第３面１２ｃ、１３ｃが半円柱状の外周面により形成され、第６面１２ｆ、１３ｆが半円柱状の底面により形成されると共に、第４面１２ｄ、１３ｄと第５面１２ｅ、１３ｅからなる。
これらの各面の構成は、上記各実施例、各変形例と同様に形成されているが、この実施例１Ｊでは、軸カバー１２１、１３１は設けられておらず、前記半円筒状軸１２０、１３０の裏側はカバーされている。
【００５５】
前記エレメント１６とキューブ１７は、第１面１６ａ、１７ａ、第２面１６ｂ、１７ｂ及び第３面１６ｃ、１７ｃが半円柱状の外周面により形成され、第４面１６ｄ、１７ｄと、第５面１６ｅ、１７ｅと、第６面１６ｆ、１７ｆからなる。
これらの各面の構成は、上記各実施例、各変形例と同様に形成される。
【００５６】
以上の構成により、円柱状玩具１Ｊにおいても、上記図３及び図４のように上記各実施例、各変形例と同様に動作されるもので、例えば図２１のように、第２のエレメント列ｎ２と第３のエレメント列ｎ３の各エレメント１２、１３、１６、１７を、直交する方向Ｙにおいて、其々の回転軸２、３により一体として回転させることもできる。
【００５７】
また、図２２のように、第１のエレメント行ｍ１と前記第２のエレメント行ｍ２は、それぞれ全体とてしてＸ方向に回転することができる。
かかる円柱状玩具１Ｊの他の構成は、上記各実施例及び各変形例と同様であり、同様な作用効果を奏すると共に、次のような効果を奏する。
（８）  各列毎の回転動作は、円柱状の形態に大きな変化を与えるものではないが、各行の回転動作は、円柱状の形態に大きな変化を与えることができ、そのギャップの面白味が発揮される。
【００５８】
なお、各エレメント１２〜１９に図１０Ｂにて例示した溝１５５（１２５、１３５、１４５）又は溝１９３（１６３、１７３、１８３）を設けてもよく、各エレメント１２〜１９をＹ方向に回転させる場合に、１８０度の回転毎にその位置を安定させることができる他、この円柱状玩具１Ｊの場合、溝にリブが当接する際の指の感覚、音等により、Ｙ方向への回転のアクセントとさせることができる。
【００５９】
本発明は以上説明した実施例、変形例に限定されるものではなく、多くの変形が本発明の技術的思想内で当分野において、通常の知識を有する者により可能である。
【符号の説明】
【００６０】
１  ブロック玩具（プレート状玩具）
１Ａ〜１Ｈ  形態玩具
１Ｉ  ブロック玩具（プレート状玩具）
１Ｊ  ブロック玩具（円柱状玩具）
１０〜１９  エレメント（キューブ）
１０ａ  １１ａ  １２ａ  １３ａ  第１面
１０ｂ  １１ｂ  １２ｂ  １３ｂ  第２面
１０ｃ  １１ｃ  １２ｃ  １３ｃ  第３面
１０ｄ  １１ｄ  １２ｄ  １３ｄ  第４面
１０ｅ  １１ｅ  １２ｅ  １３ｅ  第５面
１０ｆ  １１ｆ  １２ｆ  １３ｆ  第６面
１００  １１０  １２０  １３０  カバー
１０１  １１１  １２１  １３１  軸支持部
１０２  １１２  １２２  １３２  軸受け
１０３  １１３  切欠
１０４  １１４  内側軸受け
１０５  １１５  外側軸受け
１０１ａ  １１１ａ  孔  
１２０  １３０  １４０  １５０  半円筒状軸
１２１  １３１  １４１  １５１  軸カバー
１２２  １３２  １４２  １５２  半円リング
１２３  １３３  １４３  １５３  小径の半円筒
１２４  １３４  １４４  １５４  大径の半円筒
１２５  １３５  １４５  １５５  溝
１６０  １７０  １８０  １９０  半円状軸
１６１  １７１  １８１  １９１  凹部
１６２  １７２  １８２  １９２  孔
１６３  １７３  １８３  １９３  溝
２  回転軸
３  回転軸
４  軸
５  連結部
６  連結部
７  取付部
ｎ１  第１のエレメント列
ｎ２  第２のエレメント列
ｎ３  第３のエレメント列
ｍ１  第１のエレメント行
ｍ２  第２のエレメント行  
Ｘ  面内方向
Ｙ  直交方向（交差方向）
Ｚ  境界
【図１】
2012232097.tif 000003
【図２】
2012232097.tif 000004
【図３】
2012232097.tif 000005
【図４】
2012232097.tif 000006
【図５】
2012232097.tif 000007
【図６】
2012232097.tif 000008
【図７】
2012232097.tif 000009
【図８】
2012232097.tif 000010
【図９】
2012232097.tif 000011
【図１０Ａ】
2012232097.tif 000012
【図１０Ｂ】
2012232097.tif 000013
【図１１】
2012232097.tif 000014
【図１２】
2012232097.tif 000015
【図１３】
2012232097.tif 000016
【図１４】
2012232097.tif 000017
【図１５】
2012232097.tif 000018
【図１６】
2012232097.tif 000019
【図１７】
2012232097.tif 000020
【図１８】
2012232097.tif 000021
【図１９】
2012232097.tif 000022
【図２０】
2012232097.tif 000023
【図２１】
2012232097.tif 000024
【図２２】
2012232097.tif 000025